(57)【要約】【課題】本発明は除湿機に関するもので、洗濯物の生乾き特有の臭いの発生を抑制することを目的とするものである。【解決手段】そしてこの目的を達成するために本発明は、本体ケース１内に、本体ケース１の吸気口２から吸込んだ空気を、吸湿経路１４の熱交換器１６を通過後、排気口３から本体ケース１外に排気する送風路２７と、吸湿経路１４の熱交換器１６をバイパス後、排気口３から本体ケース１外に排気する送風路１７とを設け、送風路１７には、静電霧化手段１８を設け、送風路１７は、本体ケース１の吸気口２と静電霧化手段１８とを連通する吸気口側送風路１７ａと、静電霧化手段１８と本体ケース１の排気口３とを連通する排気口側送風路１７ｂとから形成し、静電霧化手段１８の一部は、送風路１７から本体ケース１内に突出し、吸気口側送風路１７ａは、静電霧化手段１８の下部に位置する構成とした。【選択図】図１
2011226671.tif 000002
【特許請求の範囲】
【請求項１】
吸気口と排気口を有する本体ケースと、この本体ケース内に設けられるとともに、吸湿部と放湿部を有する除湿ロータと、前記本体ケースの前記吸気口から吸込んだ空気を、第一の送風路により、前記除湿ロータの吸湿部を通過後、前記排気口から本体ケース外に排気する第一の送風機と、前記本体ケース内に設けられた吸湿経路とを備え、前記吸湿経路は、前記除湿ロータの放湿部と、この放湿部の風上側に設けたヒータと、この放湿部の風下側に設けた熱交換器と、この吸湿経路内の空気を循環させる第二の送風機とを有し、前記本体ケース内に、前記本体ケースの吸気口から吸込んだ空気を、前記吸湿経路の熱交換器を通過後、前記排気口から本体ケース外に排気する第二の送風路と、前記吸湿経路の熱交換器をバイパス後、前記排気口から本体ケース外に排気する第三の送風路とを設け、前記第三の送風路には、静電霧化手段を設け、前記第三の送風路は、前記本体ケースの前記吸気口と前記静電霧化手段とを連通する第三の吸気口側送風路と、前記静電霧化手段と前記本体ケースの前記排気口とを連通する第三の排気口側送風路とから形成し、前記静電霧化手段の一部は、前記第三の送風路から前記本体ケース内に突出し、前記吸気口側送風路は、前記静電霧化手段の下部に位置する構成とした除湿機。
【請求項２】
静電霧化手段は、放電電極と、この放電電極に対向して配置された対向電極と、これらの対向電極と放電電極間に高電圧を印加する高電圧印加部と、前記放電電極を冷却する冷却部と、この冷却部の熱を放熱する放熱フィンとを備え、この放熱フィンは、前記第三の送風路から前記本体ケース内に突出し、前記放熱フィンの下部に前記第三の吸気口側送風路が位置する構成とした請求項１に記載の除湿機。
【請求項３】
本体ケースは、略箱形状で、前記ヒータは、前記本体ケースの一方側面寄りに、前記熱交換器、および前記静電霧化手段は、前記本体ケースの他方側面寄りに位置した構成とした請求項１または２に記載の除湿機。
【請求項４】
第三の送風路である前記第三の吸気口側送風路は、前記熱交換器と前記本体ケースの他方側面との間に位置した構成とした請求項３に記載の除湿機。
【請求項５】
静電霧化手段である前記放熱フィンの上部に、空間である上部空間部と、第三の送風路である前記第三の吸気口側送風路の下部に、空間である下部空間部とを設けた請求項２〜４のいずれか一つに記載の除湿機。
【請求項６】
静電霧化手段である前記放熱フィンの上部の前記上部空間部と、前記第二の送風路とは隣接し、連通した請求項５に記載の除湿機。
【請求項７】
第一の送風機は、第一のケーシング部と、この第一のケーシング部に装着した第一の電動機と、この第一の電動機により回転する第一のファンとから形成し、前記第一のケーシング部は、吸込口と、吐出口とを備え、この吐出口は、前記静電霧化手段より上部に位置し、前記第三の送風路である前記第三の排気口側送風路は、前記第一のケーシング部の前記吐出口に連通した請求項１〜６のいずれか一つに記載の除湿機。
【請求項８】
第三の送風路である前記第三の排気口側送風路は、前記第一のケーシング部の前記吐出口の中央部に連通した請求項７に記載の除湿機。
【請求項９】
第三の送風路である前記第三の排気口側送風路の少なくとも一部は、前記第二の送風路内に位置する請求項１〜８のいずれか一つに記載の除湿機。
【請求項１０】
第三の送風路である前記第三の排気口側送風路の少なくとも一部は、垂直方向に延びた第三の排気口側垂直送風路を備え、この第三の排気口側垂直送風路の少なくとも一部は、前記第二の送風路内に位置する請求項１〜９のいずれか一つに記載の除湿機。
【発明の詳細な説明】
【技術分野】
【０００１】
本発明は、除湿ロータを用いた除湿機に関するものである。
【背景技術】
【０００２】
従来のこの種除湿機の構造は、以下のようになっていた。
【０００３】
すなわち、吸気口と排気口を有する本体ケースと、この本体ケース内に設けられるとともに、吸湿部と放湿部を有する除湿ロータと、前記本体ケースの吸気口から吸込んだ空気を、第一の送風路により、前記除湿ロータの吸湿部を通過後、前記排気口から本体ケース外に排気する第一の送風機と、前記本体ケース内に設けられた吸湿経路とを備え、前記吸湿経路は、前記除湿ロータの放湿部と、この放湿部の風上側に設けたヒータと、この放湿部の風下側に設けた熱交換器と、この吸湿経路内の空気を循環させる第二の送風機とを有する構成となっていた（例えば下記特許文献１）。
【先行技術文献】
【特許文献】
【０００４】
【特許文献１】特開２００３−２３６３３０号公報
【発明の概要】
【発明が解決しようとする課題】
【０００５】
上記従来例において、静電霧化手段を設けることで、臭気対策を行うことが検討されている。しかしながら、単に本体ケース内に静電霧化手段を装着すると、静電霧化手段の冷却効率が悪くなり、その結果として静電霧化効率が低下し、十分な臭気対策がとれないことになる。この点を更に詳しく説明すると、本体ケース内の風路内に静電霧化手段を装着すると、風路内の風路抵抗が大きくなり、除湿能力が低下するので、この静電霧化手段は風路外に装着することになる。しかしこのように静電霧化手段を風路外に設けると、静電霧化手段の周囲に空気よどみができ、冷却効率が悪くなり、この影響で十分な臭気対策がとれないものであった。
【０００６】
そこで本発明は、十分な臭気対策がとれることを目的とするものである。
【課題を解決するための手段】
【０００７】
そしてこの目的を達成するために本発明は、吸気口と排気口を有する本体ケースと、この本体ケース内に設けられるとともに、吸湿部と放湿部を有する除湿ロータと、前記本体ケースの前記吸気口から吸込んだ空気を、第一の送風路により、前記除湿ロータの吸湿部を通過後、前記排気口から本体ケース外に排気する第一の送風機と、前記本体ケース内に設けられた吸湿経路とを備え、前記吸湿経路は、前記除湿ロータの放湿部と、この放湿部の風上側に設けたヒータと、この放湿部の風下側に設けた熱交換器と、この吸湿経路内の空気を循環させる第二の送風機とを有し、前記本体ケース内に、前記本体ケースの吸気口から吸込んだ空気を、前記吸湿経路の熱交換器を通過後、前記排気口から本体ケース外に排気する第二の送風路と、前記吸湿経路の熱交換器をバイパス後、前記排気口から本体ケース外に排気する第三の送風路とを設け、前記第三の送風路には、静電霧化手段を設け、前記第三の送風路は、前記本体ケースの前記吸気口と前記静電霧化手段とを連通する第三の吸気口側送風路と、前記静電霧化手段と前記本体ケースの前記排気口とを連通する第三の排気口側送風路とから形成し、前記静電霧化手段の一部は、前記第三の送風路から前記本体ケース内に突出し、前記吸気口側送風路は、前記静電霧化手段の下部に位置する構成とし、これにより初期の目的を達成するものである。
【発明の効果】
【０００８】
以上のように本発明は、吸気口と排気口を有する本体ケースと、この本体ケース内に設けられるとともに、吸湿部と放湿部を有する除湿ロータと、前記本体ケースの前記吸気口から吸込んだ空気を、第一の送風路により、前記除湿ロータの吸湿部を通過後、前記排気口から本体ケース外に排気する第一の送風機と、前記本体ケース内に設けられた吸湿経路とを備え、前記吸湿経路は、前記除湿ロータの放湿部と、この放湿部の風上側に設けたヒータと、この放湿部の風下側に設けた熱交換器と、この吸湿経路内の空気を循環させる第二の送風機とを有し、前記本体ケース内に、前記本体ケースの吸気口から吸込んだ空気を、前記吸湿経路の熱交換器を通過後、前記排気口から本体ケース外に排気する第二の送風路と、前記吸湿経路の熱交換器をバイパス後、前記排気口から本体ケース外に排気する第三の送風路とを設け、前記第三の送風路には、静電霧化手段を設け、前記第三の送風路は、前記本体ケースの前記吸気口と前記静電霧化手段とを連通する第三の吸気口側送風路と、前記静電霧化手段と前記本体ケースの前記排気口とを連通する第三の排気口側送風路とから形成し、前記静電霧化手段の一部は、前記第三の送風路から前記本体ケース内に突出し、前記吸気口側送風路は、前記静電霧化手段の下部に位置する構成としたものであるので、十分な臭気対策がとることができる。
【０００９】
すなわち、本発明においては、本体ケースの吸気口から吸込んだ空気の一部は、第三の送風路である、本体ケースの吸気口と静電霧化手段とを連通する第三の吸気口側送風路を介し、静電霧化手段に流れ、次に、静電霧化手段と本体ケースの排気口とを連通する第三の排気口側送風路を介し、排気口へ流れる。この静電霧化手段に流れ込んだ空気から、静電霧化手段は、帯電微粒子水を発生させ、排気口から本体ケース外に排気するものである。ここで、静電霧化手段は、帯電微粒子水を発生させると同時に、熱を発生するものであるが、この熱により、静電霧化手段周囲の空気が暖められ、静電霧化手段から上昇気流が発生する。一方、静電霧化手段の下部に位置する吸気口側送風路には、本体ケースの吸気口から吸込んだ空気が流れるので、吸気口側送風路周囲の空気は冷やされ下降気流が発生する。つまり、静電霧化手段と吸気口側送風路との間に負圧領域ができ、この負圧領域によって、静電霧化手段、および吸気口側送風路の周囲に気流が発生し、この気流により静電霧化手段を冷却することができるものである。
【００１０】
結果として、静電霧化手段を冷却効率が向上し、十分な臭気対策がとれることができる。また、静電霧化手段を本体ケース内の風路外に設けるので、風路内の風路抵抗が大きくなり、除湿能力が低下することを防止できるものである。
【図面の簡単な説明】
【００１１】
【図１】本発明の一実施形態を示す平面断面図
【図２】同分解斜視図
【図３】同静電霧化手段部分の概略図
【発明を実施するための形態】
【００１２】
以下本発明の実施形態について図面を参照しながら説明する。
【００１３】
（実施の形態）
図１において、１は背面側に吸気口２、前面上方に排気口３を有する本体ケースであり、この本体ケース１の前面の下方には、受皿４が出没自在に設けられている。
【００１４】
また、この本体ケース１内には、吸湿部５と放湿部６を有する除湿ロータ７が回転自在に配置されており、その回転駆動はモータ８によって行われるようになっている。
【００１５】
さらに、この本体ケース１内の前方には、図１の矢印Ａのごとく、前記本体ケース１の吸気口２から吸込んだ室内空気を、前記除湿ロータ７の吸湿部５を通過後、前記排気口３から本体ケース１外に排気する送風機９を設けている。
【００１６】
この送風機９は、背面側の吸込口１０と、図２に示す上方の吐出口１１を有するケーシング１２と、このケーシング１２内に設けたファン１３と、このファン１３を駆動する電動機９ａとを有し、前記除湿ロータ７の吸湿部５を通過後の室内空気は、吸込口１０からケーシング１２内に流入し、ファン１３で加圧され、図３のごとく前記吐出口１１と、排気口３を介して本体ケース１外に排気される。
【００１７】
また、前記本体ケース１内には、図１に示すように吸湿経路１４が設けられており、この吸湿経路１４は、前記除湿ロータ７の放湿部６と、この放湿部６の風上側に設けたヒータ１５と、この放湿部６の風下側に設けた熱交換器１６と、この吸湿経路１４内の空気を循環させる送風機２４とを有している。なお、この吸湿経路１４は本体ケース１内の通気路としては独立している。
【００１８】
さらに、この本体ケース１内には図１の矢印Ｂに示すごとく、送風機９によって前記吸気口２から本体ケース１内に吸込んだ室内空気を、前記吸湿経路１４の熱交換器１６を通過後、送風機２４を経由し、前記排気口３から本体ケース１外に排気する送風路が形成されている。
【００１９】
ただし、矢印Ｂの室内空気は、熱交換器１６内を通過する吸湿経路１４の空気とは、この熱交換器１６を構成する熱伝導面を介して熱交換されるだけで、この熱交換器１６部分で混合されることはない。
【００２０】
ここで、吸湿経路１４の動作について説明すると、ヒータ１５で加熱された、吸湿経路１４の空気は、放湿部６（除湿ロータ７の吸湿部５が回転してこの放湿部６）において、湿気を放出させ、この高温、過湿状態の空気が、風下側の熱交換器１６に送られる。
【００２１】
この熱交換器１６には上述のごとく、矢印Ｂに示すごとく、送風機９によって室内空気が送風されているので、前記高温、過湿状態の空気は冷却され、これにより結露し、これが前記受皿４内に溜められる。
【００２２】
除湿ロータ７の吸湿部５は、矢印Ａで示すごとく室内空気が通過するごとに、湿気を吸着し、これが除湿ロータ７の回転により、次に上述した放湿部６となって、吸湿経路１４内に湿気を放出させ、このような循環により室内空気の除湿が行われる。
【００２３】
本体ケース１内に、矢印Ｃで示すように、前記吸湿経路１４の熱交換器１６をバイパス後、前記排気口３から本体ケース１外に排気する送風路１７とを設け、この送風路１７には、図４で示した静電霧化手段１８を設けた。
【００２４】
ここで、静電霧化手段１８について説明すると、この静電霧化手段１８は、放電電極１９と、この放電電極１９に対向して配置された対向電極２０と、これらの対向電極２０と放電電極１９間に高電圧（この実施形態では−５ＫＶ）を印加する高電圧印加部２１と、前記放電電極１９を冷却する冷却部として配置したペルチェ素子２２と、このペルチェ素子２２の熱を放熱する放熱フィン２３とを備えている。
【００２５】
ペルチェ素子２２は０．７５Ｖ〜２．８Ｖ程度の電圧を印加するものであり、この実施形態では、放電電極１９側を低温に、放熱フィン２３側を高温にする。
【００２６】
よって、送風路１７を通過することで、熱交換器１６で加熱されることなく進んだ室内空気が、この放電電極１９部分で冷却されることで、結露すると、帯電微粒子水が発生することになる。
【００２７】
このため、帯電微粒子水が、次に、乾燥空気とともに、排気口３から本体ケース１外に排気され、帯電微粒子水中のヒドロキシルラジカルが洗濯物の生乾き特有の臭いと反応し、それを酸化させることで、臭いの発生を抑制することができるのである。
【００２８】
なお、ヒドロキシルラジカルはヒドロキシ基（水酸基）に反応するラジカルであり、このラジカルは通常２個１組で軌道上を回転しているはずの電子が一つしかないので、電気的に非常に不安定で、周りの原子や分子から欠けた電子を奪おうとするために、酸化力が非常に強いものであり、この酸化作用により洗濯物の生乾き特有の臭いが分解、除去されるのである。
【００２９】
さて、本実施形態では、図２に示すように、送風路１７は、本体ケース１の吸気口２と静電霧化手段１８とを連通する吸気口側送風路１７ａと、静電霧化手段１８と本体ケース１の排気口３とを連通する排気口側送風路１７ｂとから形成している。静電霧化手段１８の一部は、送風路１７から本体ケース１内に突出し、吸気口側送風路１７ａは、静電霧化手段１８の下部に位置するものである。
【００３０】
すなわち、本発明においては、本体ケース１の吸気口２から吸込んだ空気の一部は、まず、送風路１７である、本体ケース１の吸気口２と静電霧化手段１８とを連通する吸気口側送風路１７ａを介し、静電霧化手段１８に流れ、次に、静電霧化手段１８と本体ケース１の排気口３とを連通する排気口側送風路１７ｂを介し、排気口３へ流れる。この静電霧化手段１８に流れ込んだ空気から、静電霧化手段１８は、帯電微粒子水を発生させ、排気口３から本体ケース１外に排気されるものである。ここで、静電霧化手段１８は、帯電微粒子水を発生させると同時に、熱が発生するものであるが、この熱により、静電霧化手段１８周囲の空気が暖められ、静電霧化手段１８から上昇気流が発生する。一方、静電霧化手段１８の下部に位置する吸気口側送風路１７ａには、本体ケース１の吸気口２から吸込んだ空気が流れるので、吸気口側送風路１７ａ周囲の空気は冷やされ下降気流が発生する。つまり、静電霧化手段１８と吸気口側送風路１７ａとの間に負圧領域ができ、この負圧領域によって、静電霧化手段１８、および吸気口側送風路１７ａの周囲に気流が発生し、この気流により静電霧化手段１８を冷却することができるものである。
【００３１】
結果として、静電霧化手段１８を冷却効率が向上し、十分な臭気対策がとれることができる。
【００３２】
また、静電霧化手段１８は、放電電極１９と、この放電電極１９に対向して配置された対向電極２０と、これらの対向電極２０と放電電極１９間に高電圧を印加する高電圧印加部２１と、放電電極１９を冷却する冷却部と、この冷却部の熱を放熱する放熱フィン２３とを備え、この放熱フィン２３は、送風路１７から本体ケース１内に突出し、放熱フィン２３の下部に吸気口側送風路１７ａが位置する構成としたものである。
【００３３】
すなわち、本発明においては、本体ケース１の吸気口２から吸込んだ空気の一部は、まず、送風路１７である、本体ケース１の吸気口２と静電霧化手段１８とを連通する吸気口側送風路１７ａを介し、静電霧化手段１８の放電電極１９、および対向電極２０に流れ、次に、静電霧化手段１８と本体ケース１の排気口３とを連通する排気口側送風路１７ｂを介し、排気口３へ流れる。この静電霧化手段１８の放電電極１９、および対向電極２０に流れ込んだ空気から、静電霧化手段１８は、帯電微粒子水を発生させ、排気口３から本体ケース１外に排気されるものである。ここで、静電霧化手段１８は、帯電微粒子水を発生させると同時に、熱が発生する。
【００３４】
この熱は、放電電極１９を冷却する冷却部として配置したペルチェ素子２２で発生し、このペルチェ素子２２から放熱フィン２３へ伝わるものである。
【００３５】
この放熱フィン２３の熱により、放熱フィン２３周囲の空気が暖められ、放熱フィン２３から上昇気流が発生する。一方、放熱フィン２３の下部に位置する吸気口側送風路１７ａには、本体ケース１の吸気口２から吸込んだ空気が流れるので、吸気口側送風路１７ａ周囲の空気は冷やされ下降気流が発生する。つまり、放熱フィン２３と吸気口側送風路１７ａとの間に負圧領域ができ、この負圧領域によって、放熱フィン２３、および吸気口側送風路１７ａの周囲に気流が発生し、この気流により放熱フィン２３を冷却することができるものである。
【００３６】
結果として、放熱フィン２３を冷却効率が向上し、十分な臭気対策がとれることができる。
【００３７】
また、本体ケース１は、略箱形状で、ヒータ１５は、本体ケース１の一方側面寄りに、熱交換器１６、および静電霧化手段１８は、本体ケース１の他方側面寄りに位置した構成としたものである。具体的には、ヒータ１５および熱交換器１６は、除湿ロータ７の放湿部６、および送風機２４と共に、吸湿経路１４内に設けられ、この吸湿経路１４は、本体ケース１の背面側に備えている。ヒータ１５は、本体ケース１の前面側から見て、本体ケース１の一方側面寄り、つまり、左側側面寄りに位置し、熱交換器１６は、本体ケース１の前面側から見て、本体ケース１の他方側面寄り、つまり、右側側面寄りに位置している。また、吸湿経路１４の前面側には、送風機９と静電霧化手段１８とを備え、この送風機９は、本体ケース１の前面側から見て、本体ケース１の中央に位置し、静電霧化手段１８は、本体ケース１の前面側から見て、本体ケース１の他方側面寄り、つまり、右側側面寄りに位置している。
【００３８】
すなわち、ヒータ１５は、本体ケース１の一方側面寄りに、静電霧化手段１８は、本体ケース１の他方側面寄り、つまり、静電霧化手段１８は、最も温度の高い部品であるヒータ１５と離れた位置にあるので、ヒータ１５による温度上昇を抑制することができる。
【００３９】
また、送風路１７である吸気口側送風路１７ａは、熱交換器１６と本体ケース１の他方側面との間に位置した構成としたものである。具体的には、熱交換器１６は、本体ケース１の前面側から見て、本体ケース１の他方側面寄り、つまり、右側側面寄りに位置し、この熱交換器１６と本体ケース１の他方側面、つまり、右側側面との間に、送風路１７である吸気口側送風路１７ａが位置するものである。
【００４０】
すなわち、送風路１７である吸気口側送風路１７ａは、最も温度の高い部品であるヒータ１５と離れた位置にあるので、ヒータ１５による温度上昇を抑制することができ、吸気口側送風路１７ａ周囲の空気は冷やされ下降気流を発生することができる。
【００４１】
また、静電霧化手段１８である放熱フィン２３の上部に、空間である上部空間部２５と、送風路１７である吸気口側送風路１７ａの下部に、空間である下部空間部２６とを設けたものである。
【００４２】
すなわち、静電霧化手段１８は、帯電微粒子水を発生させると同時に、ペルチェ素子２２で発生した熱が、放熱フィン２３へ伝わり、この放熱フィン２３の熱により、放熱フィン２３周囲の空気が暖められ、放熱フィン２３から上昇気流が発生する。一方、放熱フィン２３の下部に位置する吸気口側送風路１７ａには、本体ケース１の吸気口２から吸込んだ空気が流れるので、吸気口側送風路１７ａ周囲の空気は冷やされ下降気流が発生する。ここで、放熱フィン２３の上部には、空間である上部空間部２５を備え、吸気口側送風路１７ａの下部には、空間である下部空間部２６を備えているので、放熱フィン２３からの上昇気流は、上部空間部２５を流れ、吸気口側送風路１７ａからの下降気流は、下部空間部２６を流れる。このように、上昇気流、および下降気流は空間を流れるので、気流の乱れを抑制できるので、放熱フィン２３と吸気口側送風路１７ａとの間に負圧領域がよりでき易くなる。
【００４３】
また、静電霧化手段１８である放熱フィン２３の上部の上部空間部２５と、送風路２７とは隣接し、連通したものである。具体的には、送風路２７は、送風機９によって吸気口２から本体ケース１内に吸込んだ室内空気を、吸湿経路１４の熱交換器１６を通過後、送風機９を経由し、排気口３から本体ケース１外に排気する矢印Ｂの風路である。この送風路２７である熱交換器１６から送風機９に流れる風路と、静電霧化手段１８である放熱フィン２３の上部の上部空間部２５とが、隣接し、連通したものである。
【００４４】
すなわち、送風路２７である熱交換器１６から送風機９に流れる風路と、静電霧化手段１８である放熱フィン２３の上部の上部空間部２５とが、隣接し、連通しているので、静電霧化手段１８である放熱フィン２３から発生した上昇気流の一部は、矢印Ｂである送風路２７を流れる、熱交換器１６から送風機９に流れる気流によって誘引され、送風機２４から排気口３を介し、本体ケース１外に排気される。つまり、熱交換器１６から送風機９に流れる気流によって、上昇気流は加速され、結果として、放熱フィン２３と吸気口側送風路１７ａとの間に負圧領域がよりでき易くなる。
【００４５】
また、送風機９は、ケーシング１２と、このケーシング１２に装着した電動機９ａと、この電動機９ａにより回転するファン１３とから形成し、ケーシング１２は、吸込口１０と、吐出口１１とを備え、この吐出口１１は、静電霧化手段１８より上部に位置し、送風路１７である排気口側送風路１７ｂは、ケーシング１２の吐出口１１に連通したものである。具体的には、送風機９であるケーシング１２は、側面には、円形状の吸込口１０を、上面には、略四角形状の吐出口１１とを備えている。この吐出口１１は、静電霧化手段１８より上部に位置し、送風路１７である排気口側送風路１７ｂと連通したものである。
【００４６】
すなわち、送風路１７である排気口側送風路１７ｂは、静電霧化手段１８と、静電霧化手段１８より上部に位置するケーシング１２の吐出口１１とを、静電霧化手段１８から上方に延び連通している。ここで、静電霧化手段１８から発生する帯電微粒子水中のヒドロキシルラジカルは、空気より軽いと考えられるので、静電霧化手段１８からケーシング１２の吐出口１１へ流れやすくなると考えられる。
【００４７】
また、送風路１７である排気口側送風路１７ｂは、ケーシング１２の吐出口１１の中央部に連通したものである。具体的には、ケーシング１２の吐出口１１の側面部２８の中央部に連通したものである。
【００４８】
すなわち、静電霧化手段１８から発生する帯電微粒子水中のヒドロキシルラジカルは、ケーシング１２の吐出口１１の中央部に流れるので、排気口３の中央部から本体ケース１外に排気される。結果として、排気口３から排気される空気の中央部から、周囲広がりながら本体ケース１外に排気されるので、帯電微粒子水中のヒドロキシルラジカルが偏って排気されることを抑制することができる。
【００４９】
また、送風路１７である排気口側送風路１７ｂの少なくとも一部は、送風路２７内に位置するものである。具体的には、送風路１７である排気口側送風路１７ｂは、静電霧化手段１８と、静電霧化手段１８より上部に位置するケーシング１２の吐出口１１とを、連通している。この排気口側送風路１７ｂの一部が、送風路２７である熱交換器１６から送風機２４に流れる風路内に位置するものである。
【００５０】
すなわち、送風路２７である熱交換器１６から送風機２４に流れる風路内に位置する排気口側送風路１７ｂの一部は、熱交換器１６から送風機２４に流れる空気により暖められる。これにより、排気口側送風路１７ｂ内の空気が、暖められ排気口側送風路１７ｂ内を上昇し易くなる。結果として、送風路１７である吸気口側送風路１７ａから、吸込まれる空気が増大するので、静電霧化手段１８から発生する帯電微粒子水中のヒドロキシルラジカルも増大し、十分な臭気対策がとれることができる。
【００５１】
また、送風路１７である排気口側送風路１７ｂの少なくとも一部は、垂直方向に延びた排気口側垂直送風路１７ｃを備え、この排気口側垂直送風路１７ｃの少なくとも一部は、送風路２７内に位置するものである。具体的には、送風路１７である排気口側送風路１７ｂは、静電霧化手段１８と、静電霧化手段１８より上部に位置するケーシング１２の吐出口１１とを、連通している。この排気口側送風路１７ｂの少なくとも一部が、垂直方向に延びた排気口側垂直送風路１７ｃである。この排気口側垂直送風路１７ｃの一部が、送風路２７である熱交換器１６から送風機２４に流れる風路内に位置するものである。
【００５２】
すなわち、送風路２７である熱交換器１６から送風機２４に流れる風路内に位置する排気口側垂直送風路１７ｃの一部は、熱交換器１６から送風機２４に流れる空気により暖められる。これにより、排気口側垂直送風路１７ｃ内の空気が、暖められ排気口側垂直送風路１７ｃ内を上昇し易くなる。ここで、排気口側垂直送風路１７ｃは垂直方向に延びているので、排気口側垂直送風路１７ｃ内を空気が上昇する場合に、排気口側垂直送風路１７ｃ内の風路抵抗が小さくなる。結果として、送風路１７である吸気口側送風路１７ａから、吸込まれる空気が増大するので、静電霧化手段１８から発生する帯電微粒子水中のヒドロキシルラジカルも増大し、十分な臭気対策がとれることができる。
【産業上の利用可能性】
【００５３】
以上のように本発明は、吸気口と排気口を有する本体ケースと、この本体ケース内に設けられるとともに、吸湿部と放湿部を有する除湿ロータと、前記本体ケースの前記吸気口から吸込んだ空気を、第一の送風路により、前記除湿ロータの吸湿部を通過後、前記排気口から本体ケース外に排気する第一の送風機と、前記本体ケース内に設けられた吸湿経路とを備え、前記吸湿経路は、前記除湿ロータの放湿部と、この放湿部の風上側に設けたヒータと、この放湿部の風下側に設けた熱交換器と、この吸湿経路内の空気を循環させる第二の送風機とを有し、前記本体ケース内に、前記本体ケースの吸気口から吸込んだ空気を、前記吸湿経路の熱交換器を通過後、前記排気口から本体ケース外に排気する第二の送風路と、前記吸湿経路の熱交換器をバイパス後、前記排気口から本体ケース外に排気する第三の送風路とを設け、前記第三の送風路には、静電霧化手段を設け、前記第三の送風路は、前記本体ケースの前記吸気口と前記静電霧化手段とを連通する第三の吸気口側送風路と、前記静電霧化手段と前記本体ケースの前記排気口とを連通する第三の排気口側送風路とから形成し、前記静電霧化手段の一部は、前記第三の送風路から前記本体ケース内に突出し、前記吸気口側送風路は、前記静電霧化手段の下部に位置する構成としたものであるので、十分な臭気対策がとることができる。
【００５４】
すなわち、本発明においては、本体ケースの吸気口から吸込んだ空気の一部は、第三の送風路である、本体ケースの吸気口と静電霧化手段とを連通する第三の吸気口側送風路を介し、静電霧化手段に流れ、次に、静電霧化手段と本体ケースの排気口とを連通する第三の排気口側送風路を介し、排気口へ流れる。この静電霧化手段に流れ込んだ空気から、静電霧化手段は、帯電微粒子水を発生させ、排気口から本体ケース外に排気するものである。ここで、静電霧化手段は、帯電微粒子水を発生させると同時に、熱を発生するものであるが、この熱により、静電霧化手段周囲の空気が暖められ、静電霧化手段から上昇気流が発生する。一方、静電霧化手段の下部に位置する吸気口側送風路には、本体ケースの吸気口から吸込んだ空気が流れるので、吸気口側送風路周囲の空気は冷やされ下降気流が発生する。つまり、静電霧化手段と吸気口側送風路との間に負圧領域ができ、この負圧領域によって、静電霧化手段、および吸気口側送風路の周囲に気流が発生し、この気流により静電霧化手段を冷却することができるものである。
【００５５】
結果として、静電霧化手段を冷却効率が向上し、十分な臭気対策がとれることができる。また、静電霧化手段を本体ケース内の風路外に設けるので、風路内の風路抵抗が大きくなり、除湿能力が低下することを防止できるものである。
【００５６】
従って、家庭用や事務所用などの、除湿装置として活用が期待されるものである。
【符号の説明】
【００５７】
１      本体ケース
２      吸気口
３      排気口
４      受皿
５      吸湿部
６      放湿部
７      除湿ロータ
８      モータ
９      送風機
１０    吸込口
１１    吐出口
１２    ケーシング
１３    ファン
１４    吸湿経路
１５    ヒータ
１６    熱交換器
１７    送風路
１７ａ  吸気口側送風路
１７ｂ  排気口側送風路
１７ｃ  排気口側垂直送風路
１８    静電霧化手段
１９    放電電極
２０    対向電極
２１    高電圧印加部
２２    ペルチェ素子
２３    放熱フィン
２４    送風機
２５    上部空間部
２６    下部空間部
２７    送風路
２８    側面部
【図１】
2011226671.tif 000003
【図２】
2011226671.tif 000004
【図３】
2011226671.tif 000005